(57)【要約】本発明は栓紛失を防止するとともに容器に収容された内容物の吐出の時、栓空回転が防止されて便宜性及び使用感を向上させ、内容物を取り出す時、栓に付かなくて、汚染が防止されるようにする栓空回転防止容器に関する。  これを実現するための本発明は、内周面に螺糸山が形成される栓本体部と、上記栓本体部の下方に備えられて、容器本体から離脱が防止される表示リングと、上記栓本体部と表示リングを連結して捻る際に簡単に切断される複数のブリッジとで構成される栓と；注出口部に上記栓本体部に対応するねじ結合部と、上記ねじ結合部の下方に形成されて表示リングの離脱防止のための係止突起と、上記係止突起の下方に上記表示リングを支持する支持段と、上記係止突起と支持段との間に形成される表示リング結合部とを含む容器本体と；で構成される容器において、上記栓本体部と表示リングとの相互分離が防止されるように、一部の区間で連結部を通じて統合連結され、上記連結部に隣接して栓の開放の時、栓本体部が表示リングまたは容器本体に固定されるように相互凹凸結合される楔または楔溝が栓本体部と表示リングまたは栓本体部と容器本体に形成されることを特徴とする。
2010530834.tif 000002
【特許請求の範囲】
【請求項１】
内周面に螺糸山が形成される栓本体部３１と、上記栓本体部３１の下方に備えられて容器本体１０から離脱が防止される表示リング３３と、上記栓本体部３１と表示リング３３を連結して捻る際に簡単に切断される複数のブリッジ３５とで構成される栓３０と；
注出口部に上記栓本体部３１に対応するねじ結合部１１と、上記ねじ結合部１１の下方に形成されて、表示リング３３の離脱防止のための係止突起１３、上記係止突起１３の下方に上記表示リング３３を支持する支持段１５と、上記係止突起と支持段との間に形成される表示リング結合部１４とを含む容器本体１０と；で構成される容器において、
上記栓本体部３１と表示リング３３との相互分離が防止されるように、一部の区間で連結部３４を通じて統合連結されて、
上記連結部３４に隣接して、栓の開放の時、栓本体部３１が表示リング３３または容器本体１０に固定されるように、相互凹凸結合される楔ａまたは楔溝ｂが、栓本体部３１と表示リング３３または栓本体部と容器本体１０に形成されることを特徴とする栓紛失及び空回転防止容器。
【請求項２】
上記楔ａは、栓３０の外周縁の一側に垂直型突条３２１に形成され、
上記垂直型突条３２１に対応する楔溝ｂが支持段１５の外周縁または表示リング３３の外周縁に連続的に形成されることを特徴とする請求項１に記載の栓紛失及び空回転防止容器。
【請求項３】
上記楔溝ｂは、栓３０に断面上フック形態の楔溝３２２に形成され、
上記支持段１５に上記断面上フック形態の楔溝３２２に対応する係止枠型楔１５２が形成されることを特徴とする請求項１に記載の栓紛失及び空回転防止容器。
【請求項４】
上記楔溝ｂとして上記支持段１５に栓本体部３１の先端が嵌め込まれるための嵌込端１５３が形成されることを特徴とする請求項１に記載の栓紛失及び空回転防止容器。
【請求項５】
上記連結部３４は栓本体部３１の開放の時連結長さが可変延長されるように形成されることを特徴とする請求項１に記載の栓紛失及び空回転防止容器。
【請求項６】
栓本体部３１の開放の時連結長さが可変延長されるように、上記連結部３４は栓本体部３１に連結される表示リング３３の一部の区間にブリッジ形成層とずらして水平切開部３３７が形成され、栓の開放の時、支柱の長さを延長させる支柱３４３が形成されることを特徴とする請求項５に記載の栓紛失及び空回転防止容器。
【請求項７】
上記支柱３４３を支持するように栓本体部３１にてこ型楔３２３が垂直上傾斜して突出され、
上記表示リング３３は水平切開部３３７の内に上記てこ型楔３２３が嵌め込まれるためのガイド溝３３３が凹んで形成されることを特徴とする請求項６に記載の栓紛失及び空回転防止容器。
【請求項８】
上記てこ型楔３２３は、容器本体１０の注出口の外周面に対応して外側が湾曲して形成されることを特徴とする請求項７に記載の栓紛失及び空回転防止容器。
【請求項９】
上記連結部３４は、中間が折り畳まれる折畳式連結台３４１に突出されることを特徴とする請求項６に記載の栓紛失及び空回転防止容器。
【請求項１０】
上記表示リング３３には外力が加えられない状態での栓の回転を防止するために容器本体１０に係止される係止突起ｃが備えられることを特徴とする請求項６に記載の栓紛失及び空回転防止容器。
【請求項１１】
上記係止突起ｃは表示リング３３の内周面に放射状に形成される柔軟係止突起３３１に構成され、
上記柔軟係止突起３３１に対応する係止溝１４１が容器本体の表示リング結合部１４の外周面に形成されることを特徴とする請求項１０に記載の栓紛失及び空回転防止容器。
【請求項１２】
上記係止突起ｃは、表示リング３３の下面に凹凸して形成される鋸歯型係止突起３３５に構成され、上記鋸歯型係止突起３３５に対応して容器本体の支持段１５の上面に係止凹凸１５５が形成されることを特徴とする請求項１０に記載の栓紛失及び空回転防止容器。
【請求項１３】
上記表示リング３３は、表示リング結合部１４に対する嵌め込み程度を調整して、外力が加えられない条件で、空回転が防止されるように構成されることを特徴とする請求項６に記載の栓紛失及び空回転防止容器。
【請求項１４】
上記表示リング３３は、係止突起ｃとして内周面に可変翼３３８が放射状に形成され、上記可変翼３３８は、栓を容器本体に嵌め込む時畳まれて組み立てを干渉せず、栓の開放の時容器本体１０へ開かれて、表示リング３３の空回転を阻止するように構成されることを特徴とする請求項６に記載の栓紛失及び空回転防止容器。
【請求項１５】
上記表示リング３３は係止突起ｃとして内周面に係止片３３９が放射状で突出して形成され、
上記係止片３３９は栓を容器本体に嵌め込む時、弾性によって組み立てを干渉しないで、表示リング３３の空回転を阻止するように傾斜して形成されることを特徴とする請求項６に記載の栓紛失及び空回転防止容器。
【発明の詳細な説明】
【技術分野】
【０００１】
本発明は栓紛失を防止するとともに、容器に収容された内容物の吐出の時、栓の空回転が防止されて、便宜性及び使用感を向上させ、内容物を取り出す時、栓に付かないで、汚染が防止されるようにする栓空回転防止容器に関する。
【背景技術】
【０００２】
一般に、生水や牛乳のような食飲料を含めて、オイル、塗料、化学製品などの液状物質を保管する容器は全て注出口が形成される本体と、上記本体の注出口を開閉する栓を備え、注出口に対する栓の開閉着脱は螺合式または弾性を有する係止端を利用する加圧式が普通である。
【０００３】
また、栓１３０は、図３３及び図３４に示したように、容器１００の開封されたか否かを確認することができるように栓本体部１３１の下方に容器本体１１０から離脱が防止される指輪形の表示リング１３３を備えたりする。
【０００４】
上記栓本体部１３１と表示リング１３３は、放射状に形成された複数のブリッジ１３５で連結されて、栓を開封すると、栓本体部１３１と表示リング１３３とを連結するブリッジ１３５が切断されて開封跡を残す。
【０００５】
このような容器は、内容物を取り出すなどで栓本体部１３１を容器本体１１０から分離させて開放した後再結合することが繰り返され、栓本体部が表示リングから完全に分離される場合、汚染及び紛失の虞がある。そして、このような問題点を解決するために、表示リングと容器本体の一部が離れないように連結して形成されたりする。
【０００６】
しかし、上記表示リング１３３は、容器本体１１０に対して空回転するように結合されているので、開放された栓本体部１３１は、表示リングとともに空回転されて、内容物の吐出の時には、自重によって下向きに回転して位置する。
【０００７】
したがって、容器本体に口につけて内容物を直接飲む場合には、栓本体部が使用者の口やあごに触れて不快感を感じるだけでなく、面倒であり、他の容器に注ぐ場合には、内容物が栓に付いて吐出を干渉する問題点があった。
【発明の概要】
【発明が解決しようとする課題】
【０００８】
本発明の目的は、容器の開封されたか否かを確認することができる表示リングが備えられた容器で、栓の開放の時、栓紛失が防止されるとともに、栓の空回転が防止されることによって、容器に収容された内容物の吐出の時、栓が自重によって下方に回転されることが防止されて、直接飲用の時、栓が使用者の顔に触れる虞がなく、内容物を取り出す時、栓に付かなくて汚染が防止されるようにする栓空回転防止容器を提供することにある。
【課題を解決するための手段】
【０００９】
上記目的を達する本発明による栓紛失及び空回転防止容器は、内周面に螺糸山が形成される栓本体部と、上記栓本体部の下方に備えられて容器本体から離脱が防止される表示リングと、上記栓本体部と表示リングを連結して捻る際に簡単に切断される複数のブリッジとで構成される栓と；
注出口部に上記栓本体部に対応するねじ結合部と、上記ねじ結合部の下方に形成されて、表示リングの離脱防止のための係止突起、上記係止突起の下方に上記表示リングを支持する支持段及び上記係止突起と支持段との間に形成される表示リング結合部を含む容器本体；とで構成される容器において、
上記栓本体部と表示リングとの相互分離が防止されるように、一部の区間で連結部を通じて統合連結され、
上記連結部に隣接して栓の開放の時、栓本体部が表示リングまたは容器本体に固定されるように相互凹凸結合される楔または楔溝が栓本体部と表示リングまたは栓本体部と容器本体に形成されることを特徴とする。
【発明の効果】
【００１０】
上記構成を有する本発明による栓紛失及び空回転防止容器は、容器の開封されたか否かを確認することができる表示リングが備えられた容器で、栓の開放の時、栓紛失が防止されるとともに、栓の空回転が防止されることによって、容器に収容された内容物の吐出の時、栓が自重によって下方に回転されることが防止されて、直接飲用の時、栓が使用者の顔に触れる虞がなく、内容物を取り出す時、栓に付かなくて汚染が防止される優れた效果を奏する。
【図面の簡単な説明】
【００１１】
【図１】本発明による一実施形態の構成を示す分解斜視図。
【図２】図１の結合断面図。
【図３】図２の栓の開放状態図。
【図４】図３のＡ−Ａ線に沿う断面図。
【図５】本発明による一実施形態の栓の構成図。
【図６】本発明による他の一実施形態の分解斜視図。
【図７】図６の結合断面図。
【図８】図７の栓の開放状態図
【図９】本発明による一実施形態の部分省略断面図。
【図１０】本発明による一実施形態の部分省略断面図。
【図１１】本発明による一実施形態の構成を示す分解斜視図。
【図１２】図１１の栓の可変状態図。
【図１３】図１１の結合断面図。
【図１４】図１３の栓の開放状態図。
【図１５】図１３の栓の開放固定状態図。
【図１６】図１５のＢ−Ｂ線に沿う断面図。
【図１７】本発明による一実施形態の栓の構成図。
【図１８】本発明による一実施形態の栓の構成図。
【図１９】図１８の結合状態断面図。
【図２０】図１９の開放状態図。
【図２１】本発明による一実施形態の構成を示す分解斜視図。
【図２２】図２１の栓の可変状態図。
【図２３】図２１の結合断面図。
【図２４】図２３の栓の開放固定状態図。
【図２５】図２５のＣ−Ｃ線に沿う断面図。
【図２６】本発明による一実施形態の分解斜視図。
【図２７】図２６の結合斜視図。
【図２８】本発明による一実施形態の部分省略断面図。
【図２９】本発明による一実施形態の部分省略断面図。
【図３０】図２９のＤ−Ｄ線に沿う断面図。
【図３１】本発明による一実施形態の部分省略断面図。
【図３２】図３１のＥ−Ｅ線に沿う断面図。
【図３３】従来技術の構成図。
【図３４】図３３の栓の開放状態図。
【発明を実施するための形態】
【００１２】
以下、本発明の栓紛失及び空回転防止容器に対する実施形態を添付図面を参照して詳しく説明する。
【００１３】
図１は本発明による一実施形態の構成を示す分解斜視図であり、図２は図１の結合断面図であり、図３は図２の栓の開放状態図であり、図４は図３のＡ−Ａ線による断面図である。
【００１４】
図１乃至図４に示した本発明による一実施形態の栓紛失及び空回転防止容器１は、内周面に螺糸山が形成される栓本体部３１と、上記栓本体部３１の下方に備えられて、容器本体１０から離脱が防止される表示リング３３と、上記栓本体部３１と表示リング３３を連結して捻る際に、簡単に切断される複数のブリッジ３５とで構成される栓３０と；注出口部に上記栓本体部３１に対応するねじ結合部１１と、上記ねじ結合部１１の下方に形成されて、表示リング３３の離脱防止のための係止突起１３と、上記係止突起１３の下方に上記表示リング３３を支持する支持段１５と、上記係止突起と支持段との間に形成される表示リング結合部１４とを含む容器本体１０と；で構成される容器において、上記栓本体部３１と表示リング３３との相互分離が防止されるように、一部の区間で連結部３４を通じて統合連結されて、上記連結部３４に隣接して栓の開放の時、栓本体部３１が表示リング３３または容器本体１０に固定されるように、相互凹凸結合される楔ａまたは楔溝ｂが、栓本体部３１と表示リング３３または栓本体部３１と容器本体１０に形成される。
【００１５】
ここで、上記楔ａは、栓３０の外周縁の一側に垂直型突条３２１に形成され、上記垂直型突条３２１に対応する楔溝ｂが支持段１５の外周縁または表示リング３３の外周縁に連続的に形成されることが好ましい。
【００１６】
上記垂直型突条３２１は、図５に示したように、栓本体部３１の外周縁の全体に滑り止め凹凸形態に形成されることもできる。
【００１７】
上記楔溝ｂは、楔ａが進入した後、外力が加えられない限り離脱が防止されるように、注出口が狭くなる形態に形成されることが好ましい。
【００１８】
本発明による一実施形態として、図６乃至図８に示したように、上記楔溝ｂは栓３０に断面上フック形の楔溝３２２に形成され、上記支持段１５に上記断面上フック形態の楔溝３２２に対応する係止枠型楔１５２が形成される。
【００１９】
また、上記楔溝ｂとして、上記支持段１５に栓本体部３１の先端が挿入されるための嵌込端１５３が形成されることもできる（図９参照）。
【００２０】
上記嵌込端１５３は、支持段１５との間に栓本体部３１の一部が嵌め込まれて固定されることができるように隙間を形成する。
【００２１】
上記楔溝が形成される容器本体１０は、図１０に示したように、注出口部１０ａが異なる材質で形成されることができる。
【００２２】
本発明による一実施形態として、上記連結部３４は、栓本体部３１の開放の時、連結長さが可変延長されるように形成されることが好ましい。
【００２３】
上記連結部３４は、図１１乃至図１７の他に示したように、栓本体部３１と連結される表示リング３３の一部の区間にブリッジ形成層とずらして水平切開部３３７が形成され、栓の開放の時、支柱の長さを延長させる支柱３４３が形成されることが好ましい。
【００２４】
上記水平切開部３３７によって栓本体部３１、支柱３４３及び表示リング３３がジグザグ状に形成されて、開ける時の長さが延長される。
【００２５】
上記水平切開部３３７に第２ブリッジ３３６が形成されることもできる。
【００２６】
また、上記支柱３４３を支持するように栓本体部３１にてこ型楔３２３が垂直に傾斜して突出して形成され、上記表示リング３３は水平切開部３３７の内に上記てこ型楔３２３が嵌められるためのガイド溝３３３を形成することが好ましい。
【００２７】
上記てこ型楔３２３は栓を反らした時、容器本体３１に支持されるように形成される。
【００２８】
また、上記てこ型楔３２３は、容器本体１０の注出口の外周面に対応して、外側が湾曲して形成されることが好ましい（図１６、図１７参照）。このような構成は、てこ型楔３２３の幅が広く形成される場合にさらに必要となる。
【００２９】
また、上記連結部３４は、図１８乃至図２０に示したように、中間が折り畳まれる折畳式連結台３４１に突出して形成されることもできる。図面で、未説明符号「３４２」は折り目である。
【００３０】
本発明による一実施形態として、図２１乃至図２５に示したように、上記表示リング３３には外力が加えられない状態での栓の回転を防止するために容器本体１０に係止される係止突起ｃが備えられる。
【００３１】
上記係止突起ｃは、表示リング３３の内周面に放射状に形成される柔軟係止突起３３１で構成されて、上記柔軟係止突起３３１に対応する係止溝１４１が容器本体の表示リング結合部１４の外周面に形成されることが好ましい。
【００３２】
上記係止溝１４１は柔軟係止突起３３１と同一のピッチで連続して形成されたり、一つまたは二つだけ形成してもよい。
【００３３】
上記係止溝１４１がない場合にも係止突起３３１が表示リング結合部１４に係止されて開けられて、表示リング３３の空回転は防止される。
【００３４】
また、上記係止突起ｃは、図２６及び図２７に示したように、表示リング３３の下面に凹凸形成される鋸歯形係止突起３３５で構成され、上記鋸歯形係止突起３３５に対応して容器本体の支持段１５の上面に係止凹凸１５５が形成されることもできる。
【００３５】
上記係止突起ｃは、栓の開放回転の時、栓本体部３１に対する表示リング３３の回転を阻止して栓の最初開放の時にはブリッジ３５が切断されるようにする捻りを発生させて、外力が加えられない状態での空回転防止機能を有する。
【００３６】
本発明による一実施形態として、図２８に示したように、上記表示リング３３は表示リング結合部１４に対する嵌め込み程度を調整して、外力が加えられない条件で空回転が防止されるように構成される。
【００３７】
このような構成は、楔ａと楔溝ｂが栓本体部３１と表示リング３３に形成され、表示リングと本体との間は係止構造なしに滑らかになり、ただ嵌め込みを若干ぎりぎりにして、空回転が防止されるようにする。
【００３８】
本発明による一実施形態として、図２９及び図３０に示したように、上記表示リング３３は係止突起ｃとして、内周面に可変翼３３８が放射状に形成され、上記可変翼３３８は、栓を容器本体に嵌め込む時折り畳まれて、組み立てを干渉しないで、栓の開放の時、容器本体１０への方に開けられて、表示リング３３の空回転を阻止するように構成されることが好ましい。
【００３９】
上記可変翼３３８は、表示リングの内周面の下方で上向きに形成されて、容器本体に嵌め込む時やんわりと係止突起１３を越え、栓の開放のために表示リングに上向き圧力が加えられると、容器本体の表示リング結合部１４に当接して開けられながら空回転が防止される。
【００４０】
本発明による一実施形態として、図３１及び図３２に示したように、上記表示リング３３は係止突起ｃとして内周面に係止片３３９が放射状に突出して形成され、上記係止片３３９は栓を容器本体に嵌め込む時、弾性によって組み立てを干渉しないで表示リング３３の空回転を阻止するように傾斜して形成されることが好ましい。
【００４１】
このような構成を有する本発明による栓紛失及び空回転防止容器１の作用状態を詳しく説明する。
【００４２】
本発明は容器の開封されたか否かを確認することができる表示リング３３が備えられた容器で、栓開封捻る時、ブリッジ３５が切断されて、開封跡を残すとともに、栓３０が表示リング３３に連結部３４を通じて連結状態を維持し、栓本体部３１と表示リング３３との間または栓本体部３１と容器本体１０との間に相互着脱可能な楔ａ及び楔溝ｂが形成されることによって、栓を開放して反らして軽く力を加えれば栓本体部３１が表示リング３３または容器本体１０に楔結合される。
【００４３】
また、上記水平切開部３３７がブリッジ３５形成層とずらして形成されることによってあけら開かれる場合、栓本体部３１、支柱３４３及び表示リング３３がジグザグ状に延長して連結されて、栓本体部３１が容器本体１０から脱去されることができる余裕の長さを確保する。
【００４４】
また、てこ型楔３２３が支柱３４３を支持して固定する構成の場合（図１１乃至図１６参照）、てこ型楔３２３が表示リング３３の水平切開部の内に形成されたガイド溝３３３を通じて容器本体１０の係止突起１３と螺糸山との間に簡単に嵌め込まれる（図１５参照）。
【００４５】
このように、栓本体部３１が表示リング３３と常に連結状態を維持して紛失の虞のないとともに、容器本体１０から脱去された栓本体部３１を後に反らすと表示リング３３または容器本体１０に楔結合されて位置が固定される。
【００４６】
一方、上記折畳式連結台３４１の場合には、栓本体部３１の開放の時、開かれながら連結部の機能を同一に行う。
【００４７】
上述したように、本発明は容器の開封されたか否かを確認することができる表示リングが備えられた容器で、栓の開放の時、栓紛失が防止されるとともに、栓の空回転が防止されることによって、容器に収容された内容物の吐出の時、栓が自重によって下方に回転されることが防止されて、栓を把持しなくても、使用者が、例えば飲み物を瓶などの容器に口を付けて直接飲用の時、栓が顔に触れる虞がなく、内容物を取り出す時、栓に付かないで汚染が防止される便宜性を有する。
【００４８】
以上、本発明は本発明が属する技術分野において通常の知識を有する者にとって、本発明の技術思想を逸脱しない範囲内で、種々に置換、変形及び変更が可能であるので、上述した実施形態及び図面に限定されるものではない。
（産業上の利用の可能性）
【００４９】
上記本発明による栓紛失及び空回転防止容器は、容器の開封されたか否かを確認することができる表示リングが備えられた容器で、栓の開放の時、栓紛失が防止されるとともに、栓の空回転が防止されることによって、容器に収容された内容物の吐出の時、栓が自重によって下方に回転されることが防止されて、直接飲用の時、栓が使用者の顔に触れる虞がなく、内容物を取り出す時、栓に付かなくて汚染が防止される。
【符号の説明】
【００５０】
１：本発明の栓紛失及び空回転防止容器
ａ：楔
ｂ：楔溝                                    
ｃ：係止突起
１０：容器本体                      
１１：ねじ結合部                      
１３：係止突起
１４：表示リング結合部              
１４１：係止溝                            
１５：支持段
３０：栓                                
３１：栓本体部                    
３２３：てこ型楔
３３：表示リング                            
３３７：水平切開部                      
３４：連結部
３４１：連結台                          
３４３：支柱                              
３５：ブリッジ

【図１】
2010530834.tif 000003
【図２】
2010530834.tif 000004
【図３】
2010530834.tif 000005
【図４】
2010530834.tif 000006
【図５】
2010530834.tif 000007
【図６】
2010530834.tif 000008
【図７】
2010530834.tif 000009
【図８】
2010530834.tif 000010
【図９】
2010530834.tif 000011
【図１０】
2010530834.tif 000012
【図１１】
2010530834.tif 000013
【図１２】
2010530834.tif 000014
【図１３】
2010530834.tif 000015
【図１４】
2010530834.tif 000016
【図１５】
2010530834.tif 000017
【図１６】
2010530834.tif 000018
【図１７】
2010530834.tif 000019
【図１８】
2010530834.tif 000020
【図１９】
2010530834.tif 000021
【図２０】
2010530834.tif 000022
【図２１】
2010530834.tif 000023
【図２２】
2010530834.tif 000024
【図２３】
2010530834.tif 000025
【図２４】
2010530834.tif 000026
【図２５】
2010530834.tif 000027
【図２６】
2010530834.tif 000028
【図２７】
2010530834.tif 000029
【図２８】
2010530834.tif 000030
【図２９】
2010530834.tif 000031
【図３０】
2010530834.tif 000032
【図３１】
2010530834.tif 000033
【図３２】
2010530834.tif 000034
【図３３】
2010530834.tif 000035
【図３４】
2010530834.tif 000036
【国際調査報告】
2010530834.tif 000037
2010530834.tif 000038